【手続補正書】
【提出日】平成18年1月16日(2006.1.16)
【手続補正１】
【補正対象書類名】明細書
【補正対象項目名】発明の名称
【補正方法】変更
【補正の内容】
【発明の名称】画像形成装置における制御方法
【手続補正２】
【補正対象書類名】明細書
【補正対象項目名】特許請求の範囲
【補正方法】変更
【補正の内容】
【特許請求の範囲】
【請求項１】  画像処理装置からの受信データを画像展開し、画像に最適な記録媒体の給紙トレイを選択する画像形成装置における制御方法において、
特定の画像が予め印刷されている記録媒体に印刷を行う場合、該記録媒体に印刷されている文字や画像の向きに画像方向が揃うように給紙トレイを選択することを特徴とする画像形成装置における制御方法。
【請求項２】  前記記録媒体と画像方向が合わないと判断した場合、利用者に記録媒体の向きを変更することを促す請求項１記載の画像形成装置における制御方法。
【請求項３】  前記記録媒体の方向の情報に基づき、前記記録媒体に印刷される画像の画像方向と展開されたときの画像方向が揃うように画像を回転させて印刷を行う請求項１記載の画像形成装置における制御方法。
【請求項４】  縦長又は横長の画像が混在した文書を印刷する場合、縦長又は横長の画像に応じて最適な回転方向を決定する請求項１〜３のいずれかに記載の画像形成装置における制御方法。
【請求項５】  記録媒体搬送方向に対して一意の辺のみのステープル又はパンチ等の後処理を行うとき、前記記録媒体の画像方向の情報に基づき、前記記録媒体に印刷されている画像方向と展開された画像方向が一致し、かつ所望のステープル又はパンチ位置に後処理を行うように画像の回転方向を決定する請求項１〜４のいずれかに記載の画像形成装置における制御方法。
【請求項６】  所望の位置にステープル又はパンチ等の後処理が行うことができない場合、利用者に記録媒体の向きを変更することを促し、必要な記録媒体が存在しない場合には代替の記録媒体を要求する請求項５記載の画像形成装置における制御方法。
【手続補正３】
【補正対象書類名】明細書
【補正対象項目名】０００１
【補正方法】変更
【補正の内容】
【０００１】
【発明の属する技術分野】
本発明は画像形成装置における制御方法に関し、詳細には予め社名やロゴ等の特定の画像が印刷されている記録媒体、いわゆるレターヘッド用紙に画像を印刷する際画像方向とレターヘッド用紙の方向が最適となるように用紙選択決定及び画像展開処理を行うように制御する方法に関する。
【手続補正４】
【補正対象書類名】明細書
【補正対象項目名】０００４
【補正方法】変更
【補正の内容】
【０００４】
本発明はこれらの問題点を解決するためのものであり、無駄な記録媒体がなくなると共に、作業効率が向上する画像形成装置における制御方法を提供することを目的とする。
【手続補正５】
【補正対象書類名】明細書
【補正対象項目名】０００５
【補正方法】変更
【補正の内容】
【０００５】
【課題を解決するための手段】
前記問題点を解決するために、画像処理装置からの受信データを画像展開し、画像に最適な記録媒体の給紙トレイを選択する、本発明の画像形成装置における制御方法によれば、特定の画像が予め印刷されている記録媒体に印刷を行う場合、記録媒体に印刷されている文字や画像の向きに画像方向が揃うように給紙トレイを選択することに特徴がある。よって、正確に記録媒体に合った印刷を行うことができる。
【手続補正６】
【補正対象書類名】明細書
【補正対象項目名】０００６
【補正方法】変更
【補正の内容】
【０００６】
また、記録媒体と画像方向が合わないと判断した場合、利用者に記録媒体の向きを変更することを促すことにより、記録媒体の無駄を抑えることができる。
【手続補正７】
【補正対象書類名】明細書
【補正対象項目名】０００７
【補正方法】変更
【補正の内容】
【０００７】
更に、記録媒体の方向の情報に基づき、記録媒体に印刷される画像の画像方向と展開されたときの画像方向が揃うように画像を回転させて印刷を行うことにより、記録媒体のセットのやり直しを最小限に抑えることができる。
【手続補正８】
【補正対象書類名】明細書
【補正対象項目名】０００９
【補正方法】変更
【補正の内容】
【０００９】
更に、記録媒体搬送方向に対して一意の辺のみのステープル又はパンチ等の後処理を行うとき、記録媒体の画像方向の情報に基づき、記録媒体に印刷されている画像方向と展開された画像方向が一致し、かつ所望のステープル又はパンチ位置に後処理を行うように画像の回転方向を決定することにより、適切に失敗なく後処理を行うことができる。
【手続補正９】
【補正対象書類名】明細書
【補正対象項目名】００１０
【補正方法】変更
【補正の内容】
【００１０】
また、所望の位置にステープル又はパンチ等の後処理が行うことができない場合、利用者に記録媒体の向きを変更することを促し、必要な記録媒体が存在しない場合には代替の記録媒体を要求することで事前に失敗をなくすことができ、無駄な記録媒体を減らすことができる。
【手続補正１０】
【補正対象書類名】明細書
【補正対象項目名】００１１
【補正方法】変更
【補正の内容】
【００１１】
【発明の実施の形態】
本発明の画像形成装置における制御方法によれば、特定の画像が予め印刷されている記録媒体に印刷を行う場合、記録媒体に印刷されている文字や画像の向きに画像方向が揃うように給紙トレイを選択する。
【手続補正１１】
【補正対象書類名】明細書
【補正対象項目名】００２２
【補正方法】変更
【補正の内容】
【００２２】
【発明の効果】
以上説明したように、画像処理装置からの受信データを画像展開し、画像に最適な記録媒体の給紙トレイを選択する、本発明の画像形成装置における制御方法によれば、特定の画像が予め印刷されている記録媒体に印刷を行う場合、記録媒体に印刷されている文字や画像の向きに画像方向が揃うように給紙トレイを選択することに特徴がある。よって、正確に記録媒体に合った印刷を行うことができる。
【手続補正１２】
【補正対象書類名】明細書
【補正対象項目名】００２３
【補正方法】変更
【補正の内容】
【００２３】
また、記録媒体と画像方向が合わないと判断した場合、利用者に記録媒体の向きを変更することを促すことにより、記録媒体の無駄を抑えることができる。
【手続補正１３】
【補正対象書類名】明細書
【補正対象項目名】００２４
【補正方法】変更
【補正の内容】
【００２４】
更に、記録媒体の方向の情報に基づき、記録媒体に印刷される画像の画像方向と展開されたときの画像方向が揃うように画像を回転させて印刷を行うことにより、記録媒体のセットのやり直しを最小限に抑えることができる。
【手続補正１４】
【補正対象書類名】明細書
【補正対象項目名】００２６
【補正方法】変更
【補正の内容】
【００２６】
更に、記録媒体搬送方向に対して一意の辺のみのステープル又はパンチ等の後処理を行うとき、記録媒体の画像方向の情報に基づき、記録媒体に印刷されている画像方向と展開された画像方向が一致し、かつ所望のステープル又はパンチ位置に後処理を行うように画像の回転方向を決定することにより、適切に失敗なく後処理を行うことができる。
【手続補正１５】
【補正対象書類名】明細書
【補正対象項目名】００２７
【補正方法】変更
【補正の内容】
【００２７】
また、所望の位置にステープル又はパンチ等の後処理が行うことができない場合、利用者に記録媒体の向きを変更することを促し、必要な記録媒体が存在しない場合には代替の記録媒体を要求することで事前に失敗をなくすことができ、無駄な記録媒体を減らすことができる。
【手続補正１６】
【補正対象書類名】明細書
【補正対象項目名】図面の簡単な説明
【補正方法】変更
【補正の内容】
【図面の簡単な説明】
【図１】
本発明の第１の実施例に係る画像形成装置における制御方法を示すフローチャートである。
【図２】
本発明の第２の実施例に係る画像形成装置における制御方法を示すフローチャートである。
【図３】
本発明の第３の実施例に係る画像形成装置における制御方法を示すフローチャートである。
【図４】
本発明の第４の実施例に係る画像形成装置における制御方法を示すフローチャートである。
【図５】
本発明の第５の実施例に係る画像形成装置における制御方法を示すフローチャートである。
【図６】
本発明の第６の実施例に係る画像形成装置における制御方法を示すフローチャートである。
【図７】
用紙の搬送方向例を示す図である。
【図８】
ステープル又はパンチ位置を示す図である。
【図９】
標準的なレターヘッド用紙の種類と搬送方向を示す図である。
【図１０】
画像方向の規定を示す図である。
【図１１】
２７０°画像の印刷結果を示す図である。
【図１２】
１つの給紙トレイで異方向の画像を印刷する場合の印刷例を示す図である。
【図１３】
１つの給紙トレイで異方向の画像を印刷する場合の印刷例を示す図である。
【図１４】
１つのレターヘッド用紙のトレイで異方向の画像を印刷する場合の印刷例を示す図である。
【図１５】
１つのレターヘッド用紙のトレイで異方向の画像を印刷する場合の印刷例を示す図である。
【図１６】
１つのレターヘッド用紙のトレイで異方向の画像を印刷する場合の印刷例を示す図である。
【図１７】
１つのレターヘッド用紙のトレイで異方向の画像を印刷する場合の印刷例を示す図である。
【図１８】
縦長画像で２箇所ステープルを行う場合の印刷例とレターヘッド用紙の用紙例を示す図である。
【符号の説明】
１１；位置、１２；レターヘッド用紙。